(57)【要約】【課題】移動機が停止状態での不要なチャネル切替を防止する。【解決手段】移動を停止した状態にある移動機１０はチャネル固定キー４が押下されると、ＣＰＵ１に対して割り込みを発生し、メモリ３の周辺ゾーン止まり木チャネルテーブル３１に記憶されている止まり木チャネル番号に示される周波数の受信レベルを順次確認し、受信レベルが最も高い止まり木チャネルにて待ち受け状態へ移行する。移動機１０は一度待ち受け状態へ移行すると、待ち受け時の受信レベルがメモリ３の切替レベルテーブル３２に記憶されている待ち受けチャネル切替受信レベルを下回るまでチャネル切替を行わない。待ち受け状態から通信状態へ移行した場合も、受信レベルがメモリ３の切替レベルテーブル３２に記憶されている通信チャネル切替受信レベルを下回るまでチャネル切替をしない。【選択図】      図２
2004260559.tif 000002
【特許請求の範囲】
【請求項１】
複数ゾーンの各々を支配する基地局の複数と、ゾーンに位置し前記当該基地局と通信する移動機とを有して構成される移動通信システムにおいて、移動機が使用するチャネルの切替えを固定する移動通信チャネル固定方式であって、
前記移動機は、
使用者がチャネルの固定を要求するため使用者により押下される固定キーと、
前記固定キーの押下により、待ち受けチャネルを固定する手段とを有することを特徴とする移動通信チャネル固定方式。
【請求項２】
複数ゾーンの各々を支配する基地局の複数と、ゾーンに位置し前記当該基地局と通信する移動機とを有して構成される移動通信システムにおいて、移動機が使用するチャネルの切替えを固定する移動通信チャネル固定方式であって、
前記移動機は、
使用者がチャネルの固定を要求するため使用者により押下される固定キーと、
前記固定キーの押下により、待ち受けチャネルを固定する手段と、
固定されている待ち受けチャネルの受信レベルと予め定められた待ち受けチャネル切替レベルを比較し、前記固定されている待ち受けチャネルの受信レベルが前記予め定められた待ち受けチャネル切替レベルより低いとき、待ち受けチャネルの固定を解除する手段とを有することを特徴とする移動通信チャネル固定方式。
【請求項３】
複数ゾーンの各々を支配する基地局の複数と、ゾーンに位置し前記当該基地局と通信する移動機とを有して構成される移動通信システムにおいて、移動機が使用するチャネルの切替えを固定する移動通信チャネル固定方式であって、
前記移動機は、
使用者がチャネルの固定を要求するため使用者により押下される固定キーと、
前記固定キーの押下により、待ち受けチャネルを固定する手段と、
待ち受けチャネルが固定されている最中に、通信を開始するとき、通信チャネルを固定する手段とを有することを特徴とする移動通信チャネル固定方式。
【請求項４】
複数ゾーンの各々を支配する基地局の複数と、ゾーンに位置し前記当該基地局と通信する移動機とを有して構成される移動通信システムにおいて、移動機が使用するチャネルの切替えを固定する移動通信チャネル固定方式であって、
前記移動機は、
使用者がチャネルの固定を要求するため使用者により押下される固定キーと、
前記固定キーの押下により、待ち受けチャネルを固定する手段と、
固定されている待ち受けチャネルの受信レベルと予め定められた待ち受けチャネル切替レベルを比較し、前記固定されている待ち受けチャネルの受信レベルが前記予め定められた待ち受けチャネル切替レベルより低いとき、待ち受けチャネルの固定を解除する手段と、
待ち受けチャネルが固定されている最中に、通信を開始するとき、通信チャネルを固定する手段と、
固定されている通信チャネルの受信レベルと予め定められた通信チャネル切替レベルを比較し、前記固定されている通信チャネルの受信レベルが前記予め定められた通信チャネル切替レベルより低いとき、通信チャネルの固定を解除する手段とを有することを特徴とする移動通信チャネル固定方式。
【請求項５】
複数ゾーンの各々を支配する基地局の複数と、ゾーンに位置し前記当該基地局と通信する移動機とを有して構成される移動通信システムにおいて、移動機が使用するチャネルの切替えを固定する移動通信チャネル固定方式であって、
前記移動機は、
待ち受け状態へ移行する際、前記複数基地局より受信する在圏ゾーン判定用の複数止まり木チャネルを示す周辺ゾーン止まり木チャネルテーブルと、待ち受けチャネル切替レベルと通信チャネル切替レベルを示す切替レベルテーブルとを記憶するメモリと、
使用者がチャネルの固定を要求するため使用者により押下される固定キーとを備え、
使用者により前記固定キーが押下されると、前記周辺ゾーン止まり木チャネルテーブルで示される複数止まり木チャネルの各々の受信レベルを測定し、測定された受信レベルが最も高い止まり木チャネルを選択し、この止まり木チャネルの基地局にて、待ち受けチャネルを固定する手段と、
固定されている待ち受けチャネルの受信レベルと前記切替レベルテーブル内の待ち受けチャネル切替レベルを比較し、前記固定されている待ち受けチャネルの受信レベルが前記待ち受けチャネル切替レベルより低いとき、待ち受けチャネルの固定を解除する手段と、
待ち受けチャネルが固定されている最中に、通信を開始するとき、通信チャネルを固定する手段と、
固定されている通信チャネルの受信レベルと前記切替レベルテーブル内の通信チャネル切替レベルを比較し、前記固定されている通信チャネルの受信レベルが前記通信チャネル切替レベルより低いとき、通信チャネルの固定を解除する手段とを有することを特徴とする移動通信チャネル固定方式。
【請求項６】
前記移動機は、さらに、
使用者により前記固定キーが押下されると、前記周辺ゾーン止まり木チャネルテーブルで示される複数止まり木チャネルの各々の受信レベルを測定し、測定された受信レベルが最も高い止まり木チャネルを選択し、この止まり木チャネルを固定用止まり木チャネルとして前記メモリに記憶し、この固定用止まり木チャネルの基地局にて、待ち受けチャネルを固定する手段と、
待ち受けチャネルの固定が解除された後、待ち受けチャネルが切替えられるかを確認し、待ち受けチャネルが切替えられるとき、切替えられた待ち受けチャネルが、前記メモリに記憶されている固定用止まり木チャネルの基地局の待ち受けチャネルであるとき、切替えられた待ち受けチャネルを固定する手段を有することを特徴とする請求項５記載の移動通信チャネル固定方式。
【請求項７】
複数ゾーンの各々を支配する基地局と通信する移動機であって、
待ち受け状態へ移行する際、前記複数基地局より受信する在圏ゾーン判定用の複数止まり木チャネルを示す周辺ゾーン止まり木チャネルテーブルと、待ち受けチャネル切替レベルと通信チャネル切替レベルを示す切替レベルテーブルとを記憶するメモリと、
使用者がチャネルの固定を要求するため使用者により押下される固定キーとを備え、
使用者により前記固定キーが押下されると、前記周辺ゾーン止まり木チャネルテーブルで示される複数止まり木チャネルの各々の受信レベルを測定し、測定された受信レベルが最も高い止まり木チャネルを選択し、この止まり木チャネルの基地局にて、待ち受けチャネルを固定する手段と、
固定されている待ち受けチャネルの受信レベルと前記切替レベルテーブル内の待ち受けチャネル切替レベルを比較し、前記固定されている待ち受けチャネルの受信レベルが前記待ち受けチャネル切替レベルより低いとき、待ち受けチャネルの固定を解除する手段と、
待ち受けチャネルが固定されている最中に、通信を開始するとき、通信チャネルを固定する手段と、
固定されている通信チャネルの受信レベルと前記切替レベルテーブル内の通信チャネル切替レベルを比較し、前記固定されている通信チャネルの受信レベルが前記通信チャネル切替レベルより低いとき、通信チャネルの固定を解除する手段とを有することを特徴とする移動機。
【請求項８】
使用者により前記固定キーが押下されると、前記周辺ゾーン止まり木チャネルテーブルで示される複数止まり木チャネルの各々の受信レベルを測定し、測定された受信レベルが最も高い止まり木チャネルを選択し、この止まり木チャネルを固定用止まり木チャネルとして前記メモリに記憶し、この固定用止まり木チャネルの基地局にて、待ち受けチャネルを固定する手段と、
待ち受けチャネルの固定が解除された後、待ち受けチャネルが切替えられるかを確認し、待ち受けチャネルが切替えられるとき、切替えられた待ち受けチャネルが、前記メモリに記憶されている固定用止まり木チャネルの基地局の待ち受けチャネルであるとき、切替えられた待ち受けチャネルを固定する手段を、さらに有することを特徴とする請求項７記載の移動機。
【発明の詳細な説明】
【０００１】
【発明の属する技術分野】
本発明は、移動通信システムに関し、特に、移動通信チャネルの切替制御に関する。
【０００２】
【従来の技術】
移動通信システムにおいて、複数の基地局が、サービスエリア全体に数ｋｍおきに設置されている。それぞれの基地局には、隣接された基地局からの干渉を避けるため、異なる無線周波数が割り当てられている。移動機の電源を投入されると、移動機は、どの基地局配下にいるのか分からないため、移動機にあらかじめ記憶された複数の止まり木チャネルの受信レベルを測定し、あらかじめ定められたしきい値以上の受信レベルを得られた止まり木チャネルを送信する基地局にて待ち受け状態となる。それぞれの基地局は、少なくとも一つ以上の止まり木チャネルを送信している。移動機は待ち受け状態へ移行する際、基地局から送信される報知情報より、周辺ゾーンの止まり木チャネル番号を記憶し、周辺ゾーンの受信レベルを測定する。在圏基地局からの待ち受けチャネルの受信レベルがしきい値以下に低下した場合、周辺ゾーンの中で受信レベルが最も高い基地局にて待ち受け状態となる。
【０００３】
【発明が解決しようとする課題】
移動機の使用者が、複数基地局から均等の距離にいる場合、移動機は、それぞれの止まり木チャネルを同程度のレベルで受信する。このとき、移動機は、最も受信レベルが最も高い止まり木チャネルを送信する基地局にて待ち受け状態となるが、受信レベルはフェージング等で変動するため、他の基地局の待ち受けチャネルへ切り替わることがある。移動機は待ち受けチャネルがしきい値以下に低下した場合にチャネル切り替えを行うが、このしきい値は移動機が移動することを前提に設定されているため、通信に支障が無いレベルでチャネル切り替えが行われるよう設定されている。従って、移動機は、頻繁にチャネル切り替えを行い、待ち受けチャネルが「ばたつく」ので、着信信号を取りこぼすことがあるという課題を有する。同様に通信中も通信チャネルが「ばたつく」ので、通信の瞬断等によって通信品質が低下するという課題を有する。
【０００４】
ばたつき回数を少なくする技術が、既に開示されている（例えば、特許文献１）。
【０００５】
【特許文献１】
特開平７−３０９４５号公報（頁４〜７、図）
本発明の目的は、移動機が停止状態でチャネルを固定し不要なチャネル切替を防止し、ばたつきを無くして着信完了率を向上させると共に、通信品質を向上させる技術を提供することにある。
【０００６】
【課題を解決するための手段】
本発明の移動通信チャネル固定方式は、複数ゾーンの各々を支配する基地局の複数と、ゾーンに位置し前記当該基地局と通信する移動機とを有して構成される移動通信システムにおいて、移動機が使用するチャネルの切替えを固定する移動通信チャネル固定方式であって、
前記移動機は、
使用者がチャネルの固定を要求するため使用者により押下される固定キーと、
前記固定キーの押下により、待ち受けチャネルを固定する手段とを有することを特徴とする。
【０００７】
また、本発明の移動通信チャネル固定方式は、複数ゾーンの各々を支配する基地局の複数と、ゾーンに位置し前記当該基地局と通信する移動機とを有して構成される移動通信システムにおいて、移動機が使用するチャネルの切替えを固定する移動通信チャネル固定方式であって、
前記移動機は、
使用者がチャネルの固定を要求するため使用者により押下される固定キーと、
前記固定キーの押下により、待ち受けチャネルを固定する手段と、
固定されている待ち受けチャネルの受信レベルと予め定められた待ち受けチャネル切替レベルを比較し、前記固定されている待ち受けチャネルの受信レベルが前記予め定められた待ち受けチャネル切替レベルより低いとき、待ち受けチャネルの固定を解除する手段とを有することを特徴とする。
【０００８】
さらに、本発明の移動通信チャネル固定方式は、複数ゾーンの各々を支配する基地局の複数と、ゾーンに位置し前記当該基地局と通信する移動機とを有して構成される移動通信システムにおいて、移動機が使用するチャネルの切替えを固定する移動通信チャネル固定方式であって、
前記移動機は、
使用者がチャネルの固定を要求するため使用者により押下される固定キーと、
前記固定キーの押下により、待ち受けチャネルを固定する手段と、
待ち受けチャネルが固定されている最中に、通信を開始するとき、通信チャネルを固定する手段とを有することを特徴とする。
【０００９】
また、本発明の移動通信チャネル固定方式は、複数ゾーンの各々を支配する基地局の複数と、ゾーンに位置し前記当該基地局と通信する移動機とを有して構成される移動通信システムにおいて、移動機が使用するチャネルの切替えを固定する移動通信チャネル固定方式であって、
前記移動機は、
使用者がチャネルの固定を要求するため使用者により押下される固定キーと、
前記固定キーの押下により、待ち受けチャネルを固定する手段と、
固定されている待ち受けチャネルの受信レベルと予め定められた待ち受けチャネル切替レベルを比較し、前記固定されている待ち受けチャネルの受信レベルが前記予め定められた待ち受けチャネル切替レベルより低いとき、待ち受けチャネルの固定を解除する手段と、
待ち受けチャネルが固定されている最中に、通信を開始するとき、通信チャネルを固定する手段と、
固定されている通信チャネルの受信レベルと予め定められた通信チャネル切替レベルを比較し、前記固定されている通信チャネルの受信レベルが前記予め定められた通信チャネル切替レベルより低いとき、通信チャネルの固定を解除する手段とを有することを特徴とする。
【００１０】
さらに、本発明の移動通信チャネル固定方式は、複数ゾーンの各々を支配する基地局の複数と、ゾーンに位置し前記当該基地局と通信する移動機とを有して構成される移動通信システムにおいて、移動機が使用するチャネルの切替えを固定する移動通信チャネル固定方式であって、
前記移動機は、
待ち受け状態へ移行する際、前記複数基地局より受信する在圏ゾーン判定用の複数止まり木チャネルを示す周辺ゾーン止まり木チャネルテーブルと、待ち受けチャネル切替レベルと通信チャネル切替レベルを示す切替レベルテーブルとを記憶するメモリと、
使用者がチャネルの固定を要求するため使用者により押下される固定キーとを備え、
使用者により前記固定キーが押下されると、前記周辺ゾーン止まり木チャネルテーブルで示される複数止まり木チャネルの各々の受信レベルを測定し、測定された受信レベルが最も高い止まり木チャネルを選択し、この止まり木チャネルの基地局にて、待ち受けチャネルを固定する手段と、
固定されている待ち受けチャネルの受信レベルと前記切替レベルテーブル内の待ち受けチャネル切替レベルを比較し、前記固定されている待ち受けチャネルの受信レベルが前記待ち受けチャネル切替レベルより低いとき、待ち受けチャネルの固定を解除する手段と、
待ち受けチャネルが固定されている最中に、通信を開始するとき、通信チャネルを固定する手段と、
固定されている通信チャネルの受信レベルと前記切替レベルテーブル内の通信チャネル切替レベルを比較し、前記固定されている通信チャネルの受信レベルが前記通信チャネル切替レベルより低いとき、通信チャネルの固定を解除する手段とを有することを特徴とする。
【００１１】
また、本発明の移動通信チャネル固定方式は、前記移動機が、さらに、
使用者により前記固定キーが押下されると、前記周辺ゾーン止まり木チャネルテーブルで示される複数止まり木チャネルの各々の受信レベルを測定し、測定された受信レベルが最も高い止まり木チャネルを選択し、この止まり木チャネルを固定用止まり木チャネルとして前記メモリに記憶し、この固定用止まり木チャネルの基地局にて、待ち受けチャネルを固定する手段と、
待ち受けチャネルの固定が解除された後、待ち受けチャネルが切替えられるかを確認し、待ち受けチャネルが切替えられるとき、切替えられた待ち受けチャネルが、前記メモリに記憶されている固定用止まり木チャネルの基地局の待ち受けチャネルであるとき、切替えられた待ち受けチャネルを固定する手段を有することを特徴とする。
【００１２】
さらに、本発明の移動機は、複数ゾーンの各々を支配する基地局と通信する移動機であって、
待ち受け状態へ移行する際、前記複数基地局より受信する在圏ゾーン判定用の複数止まり木チャネルを示す周辺ゾーン止まり木チャネルテーブルと、待ち受けチャネル切替レベルと通信チャネル切替レベルを示す切替レベルテーブルとを記憶するメモリと、
使用者がチャネルの固定を要求するため使用者により押下される固定キーとを備え、
使用者により前記固定キーが押下されると、前記周辺ゾーン止まり木チャネルテーブルで示される複数止まり木チャネルの各々の受信レベルを測定し、測定された受信レベルが最も高い止まり木チャネルを選択し、この止まり木チャネルの基地局にて、待ち受けチャネルを固定する手段と、
固定されている待ち受けチャネルの受信レベルと前記切替レベルテーブル内の待ち受けチャネル切替レベルを比較し、前記固定されている待ち受けチャネルの受信レベルが前記待ち受けチャネル切替レベルより低いとき、待ち受けチャネルの固定を解除する手段と、
待ち受けチャネルが固定されている最中に、通信を開始するとき、通信チャネルを固定する手段と、
固定されている通信チャネルの受信レベルと前記切替レベルテーブル内の通信チャネル切替レベルを比較し、前記固定されている通信チャネルの受信レベルが前記通信チャネル切替レベルより低いとき、通信チャネルの固定を解除する手段とを有することを特徴とする。
【００１３】
また、本発明の移動機は、使用者により前記固定キーが押下されると、前記周辺ゾーン止まり木チャネルテーブルで示される複数止まり木チャネルの各々の受信レベルを測定し、測定された受信レベルが最も高い止まり木チャネルを選択し、この止まり木チャネルを固定用止まり木チャネルとして前記メモリに記憶し、この固定用止まり木チャネルの基地局にて、待ち受けチャネルを固定する手段と、待ち受けチャネルの固定が解除された後、待ち受けチャネルが切替えられるかを確認し、待ち受けチャネルが切替えられるとき、切替えられた待ち受けチャネルが、前記メモリに記憶されている固定用止まり木チャネルの基地局の待ち受けチャネルであるとき、切替えられた待ち受けチャネルを固定する手段を、さらに有することを特徴とする。
【００１４】
【発明の実施の形態】
次に、本発明の実施形態について図面を参照して詳細に説明する。
【００１５】
図１は、本発明を適用した移動通信システムの構成ブロック図で、図２は、本発明の第１の実施形態による移動機の構成ブロック図で、図３は、周辺ゾーン止まり木チャネルテーブルの構成図で、図４は、切替レベルテーブルの構成図である。
【００１６】
図１を参照して、本発明を適用した移動通信システムは、本発明による移動機１０と、ゾーン３００、３１０、３２０の各々を支配し移動機１０と通信する基地局２０、２１、２２の各々とを有して構成される。
【００１７】
図２を参照して、本発明による移動機１０は、移動機１０の全体を制御する制御部（ＣＰＵ）１と、無線電波信号を送受信する無線部（ＲＦ）２と、周辺ゾーン止まり木チャネルテーブル３１と切替レベルテーブル３２とを記憶するメモリ３と、固定キー４とを有して構成される。
【００１８】
固定キー４は、チャネルの固定を要求（以降、チャネル固定要求）するために、使用者により押下されるキーであり、使用者により押下されると、チャネル固定要求信号をＣＰＵ１に送り、ＣＰＵ１に割り込む。
【００１９】
固定キー４からの割り込みを受け付けたＣＰＵ１は、図３に示される周辺ゾーン止まり木チャネルテーブル３１に記憶された止まり木チャネル番号を読み出し、止まり木チャネルの周波数を算出してＲＦ２に設定する。また、ＣＰＵ１は、周辺ゾーン止まり木チャネルテーブル３１に記憶された全ての止まり木チャネルの受信レベルを順次測定し、その中で受信レベルが最も高い止まり木チャネルの基地局にて待ち受け状態へ移行する。
【００２０】
メモリ３は、移動機１０が待ち受け状態へ移行する際、基地局より受信した報知情報の内の、在圏ゾーン／セクタ判定用の止まり木チャネルを、図３に示される周辺ゾーン止まり木チャネルテーブル３１に記憶する。また、メモリ３は、移動機が移動して待ち受けチャネルの固定を解除する際、受信レベルと比較する待ち受けチャネル切替レベルと、通信中チャネルの固定を解除する際に受信レベルと比較する通信チャネル切替レベルとを、図４に示される切替レベルテーブル３２に記憶している。待ち受けチャネル切り替えレベル及び通信チャネル切り替えレベルは、通信が可能な最低レベルの値が設定されており、チャネルの固定は通信断寸前まで解除されない。
【００２１】
次に、本発明の実施形態の動作について図面を参照して詳細に説明する。
【００２２】
図５は、移動機の動作フローチャートで、図６は、固定キーの押下から、待ち受けチャネルを固定して待ち受け状態になるまでの、移動機の動作を示すフローチャートで、図７は、待ち受けチャネルが固定された待ち受け状態から、通信状態になるまでの、移動機の動作を示すフローチャートである。
【００２３】
図５、６及び７を主体に、図１、２、３及び４を併せ参照して動作を説明する。
【００２４】
図５を参照して、移動機１０の使用者は、図１に示されるように、基地局２０、〜、２２の電波が均等に届く位置に住居等があるため停止している。よって、移動機１０は、移動を停止している（ステップ１００）。
【００２５】
このとき、移動機１０の使用者は、図２で示される移動機１０の固定キー４を押下する（ステップ１０１）。
【００２６】
固定キー４が押下されると、移動機１０は、メモリ３に記憶されている、図３の周辺ゾーン止まり木チャネルテーブル３１における最も受信レベルが高い止まり木チャネルの基地局にて、チャネルを固定し待ち受け状態となる（ステップ１０２）。
【００２７】
チャネルを固定して待ち受け中の移動機１０は、待ち受けチャネルの受信レベルが、メモリ３に記憶されている図４の待ち受けチャネルの切替レベルより低いか比較する（ステップ１０３）。
【００２８】
移動機１０が移動を開始し、待ち受けチャネルの受信レベルが通信断寸前まで低下すると、待ち受けチャネルの受信レベルはメモリ３の切替テーブル３２に記憶されている待ち受けチャネルの切替レベルより低くなるため（ステップ１０３でハイ）、待ち受けチャネルの固定を解除する（ステップ１０４）。
【００２９】
図６は、固定キー４が押下されてから、待ち受けチャネルを固定し待ち受け状態になるまでの移動機の詳細動作を示している。
【００３０】
使用者により固定キー４が押下されると、チャネル固定要求信号をＣＰＵ１に送り、ＣＰＵ１に割り込む（ステップ２００）。
【００３１】
ＣＰＵ１は、固定キー４からチャネル固定要求信号を受けて、固定キー４からの割り込みを検出すると、図３の周辺ゾーン止まり木チャネルテーブル３１から止まり木チャネル番号＃１を読み出し、止まり木チャネルの周波数を算出し、この周波数をＲＦ２に設定する（ステップ２０１）。
【００３２】
ＲＦ２は、ＣＰＵ１により、止まり木チャネルの周波数が設定されると、止まり木チャネル番号＃１の受信レベルを測定して（ステップ２０２）ＣＰＵ１へ報告する。
【００３３】
ＣＰＵ１は、ＲＦ２により測定された、止まり木チャネル番号＃１の受信レベルの報告をうけると、周辺ゾーン止まり木チャネルテーブル３１に記憶されている全ての止まり木チャネルの、受信レベルの測定が完了されたかを調べる（ステップ２０３）。
【００３４】
調べた結果、受信レベルの測定が完了していない止まり木チャネルがあるとき（ステップ２０３のイイエ）、ＣＰＵ１は、ステップ２０１に戻り、測定が完了していない止まり木チャネルの受信レベルを測定する。
【００３５】
ステップ２０３で調べた結果、周辺ゾーン止まり木チャネルテーブル３１に記憶されている全ての止まり木チャネルの、受信レベルの測定が完了しているとき（ステップ２０３のハイ）、ＣＰＵ１は、全ての止まり木チャネルの受信レベルのうちで受信レベルが最も高い止まり木チャネル番号を選び、この止まり木チャネル番号の基地局の待ち受けチャネルに固定し待ち受け状態となる（ステップ２０４）。
【００３６】
図７は、待ち受けチャネルが固定されて待ち受け中の移動機１０が通信状態となった場合の動作を示している。
【００３７】
待ち受けチャネルが固定されて待ち受け中の移動機１０が（ステップ３００）、発信して又は着信を受けて（ステップ３０１）、通信チャネルに移行すると通信チャネルを固定して通信状態となる（ステップ３０２）。
【００３８】
通信チャネルを固定して通信中の移動機１０は、通信チャネル受信レベルがメモリ３に記憶された図４中の通信チャネル切替レベルより低いか比較する（ステップ３０３）。
【００３９】
移動機１０が移動を開始し通信チャネルの受信レベルが通信断寸前まで低下すると、通信チャネルの受信レベルがメモリ３に記憶された通信チャネル切替レベルより低くなるため（ステップ３０３でハイ）、通信チャネルの固定を解除する（ステップ３０４）。
【００４０】
以上説明したように、本発明は、移動機の不要なチャネル切替を低減出来るため、待ち受けチャネル切替のばたつきによる着信信号の検出漏れ及び通信チャネルのばたつきによる瞬断を低減することが可能である。
【００４１】
次に、本発明の第２の実施形態について説明する。
【００４２】
図８は、本発明の第２の実施形態による移動機の構成ブロック図で、図９は、移動機の動作のフローチャートで、図１０は、固定用止まり木チャネルテーブルの構成図である。
【００４３】
図８を参照して、本発明の第２の実施形態による移動機１０ａは、移動機１０ａの全体を制御する制御部（以降、ＣＰＵ）１ａと、無線電波信号を送受信する無線部（ＲＦ）２と、メモリ３ａと、固定キー４とを有して構成される。
【００４４】
ＲＦ２と固定キー４の各々は、第１の実施形態を構成するＲＦ２と固定キー４の各々と同じものである。
【００４５】
ＣＰＵ１ａは、第１の実施形態を構成するＣＰＵ１の機能に加えて、一定時間内に固定用止まり木チャネルがばたつくことを検出するためのタイマを有し、このタイマにより待ち受け状態を制御する。
【００４６】
メモリ３ａは、周辺ゾーン止まり木チャネルテーブル３１と切替レベルテーブル３２と固定用止まり木チャネルテーブル３３とを記憶する。
【００４７】
周辺ゾーン止まり木チャネルテーブル３１と切替レベルテーブル３２は、第１の実施形態を構成するメモリ３に記憶されている周辺ゾーン止まり木チャネルテーブル３１と切替レベルテーブル３２と同じものである。
【００４８】
固定用止まり木チャネルテーブル３３は、移動機１０にて固定キー４が一度押下された時の固定止まり木チャネル番号を記憶するテーブルである。
【００４９】
移動機１０が移動を開始した後、固定キー４が押下された場所へ再度戻ってきた場合、固定用止まり木チャネルテーブル３３の固定止まり木チャネルに、自動的に待ち受けチャネルを固定して待ち受けを行うよう工夫されている。
【００５０】
動作を説明する。
【００５１】
移動機１０ａは、固定キー４が押下され、チャネルを固定して待ち受け状態になると、このときの止まり木チャネル番号、すなわち、図１０に示される固定用止まり木チャネル番号、をメモリ３ａの固定用止まり木チャネルテーブル３３に記憶する。
【００５２】
図９を参照して、移動機１０ａは、移動を開始すると待ち受けチャネルの固定を解除し、通常の待ち受けとなるが（ステップ４００）、再度待ち受けチャネルが切り替わると（ステップ４０１）、切替先止まり木チャネルが図１０の固定用止まり木チャネルであるか確認し（ステップ４０２）、切替先止まり木チャネルが固定用止まり木チャネルでない場合（ステップ４０２でイイエ）、通常待ち受け状態となる（ステップ４０８）。
【００５３】
切替先止まり木チャネルが固定用止まり木チャネルである場合（ステップ４０２でハイ）、移動機１０ａは、一定時間内に固定用止まり木チャネルが「ばたつく」ことを検出するためタイマをスタートさせる（ステップ４０３）。
【００５４】
移動機１０ａは、再度、待ち受けチャネルの切替が行われるか確認し（ステップ４０４）、待ち受けチャネルの切替が行われないことを確認すると（ステップ４０４でイイエ）、タイマがタイムアウトしているかを確認する（ステップ４０７）。
【００５５】
タイマがタイムアウトしていない場合（ステップ４０７でイイエ）、移動機１０ａは、待ち受けチャネルの切替を、再度、確認する（ステップ４０４）。
【００５６】
タイマがタイムアウトしている場合（ステップ４０７でハイ）、移動機１０ａは、通常の待ち受け状態となる（ステップ４０８）。
【００５７】
つまり、タイマに設定された一定時間内に、待ち受けチャネルが切替わらないと、待ち受けチャネルの「ばたつき」がないと見なし、移動機１０ａは、通常の待ち受け状態を維持する。
【００５８】
ステップ４０４において、待ち受けチャネルが、再度、切り替わるとき（ステップ４０４でハイ）、移動機１０ａは、切替先止まり木チャネルが固定用止まり木チャネルであるか確認し（ステップ４０５）、切替先止まり木チャネルが固定用止まり木チャネルでないとき（ステップ４０５でイイエ）、再度、待ち受けチャネルの切替えの確認をする（ステップ４０４）。
【００５９】
切替先止まり木チャネルが固定用止まり木チャネルであるとき（ステップ４０５でハイ）、移動機１０ａは、移動機１０ａの使用者が固定キーを押下された場所の付近に、再度、存在していると判断し、待ち受けチャネルを固定して待ち受け状態となる（ステップ４０６）。
【００６０】
以上述べたように、第２の実施形態では、移動機が待ち受けチャネル固定状態から移動して通常待ち受け状態になった後、待ち受けチャネルを固定に設定した場所へ再度戻って来た場合、自動で、待ち受けチャネルが固定出来るため、移動が停止した状態になる度に毎回固定キーを押下する手間が不要になる。
【００６１】
また、以上の説明では、メモリ３ａの固定用止まり木チャネルテーブル３３に固定用止まり木チャネルが１チャネルだけ設定されているが、複数チャネルを設定することも可能である。
【００６２】
【発明の効果】
以上説明したように、本発明は、移動機が移動を停止した状態に於いて使用チャネルを固定するよう構成されているので、チャネル切り替えによる使用チャネルのばたつきによる着信信号検出漏れ、及び通信中の音声及びデータ通信信号の瞬断を低減するという効果を得ることができる。
【図面の簡単な説明】
【図１】本発明を適用した移動通信システムの構成ブロック図である。
【図２】本発明の第１の実施形態による移動機の構成ブロック図である。
【図３】周辺ゾーン止まり木チャネルテーブルの構成図である。
【図４】切替レベルテーブルの構成図である。
【図５】移動機の動作フローチャートである。
【図６】固定キーの押下から、待ち受けチャネルを固定して待ち受け状態になるまでの、移動機の動作を示すフローチャートである。
【図７】待ち受けチャネルが固定された待ち受け状態から、通信状態になるまでの、移動機の動作を示すフローチャートである。
【図８】本発明の第２の実施形態による移動機の構成ブロック図である。
【図９】移動機の動作のフローチャートである。
【図１０】固定用止まり木チャネルテーブルの構成図である。
【符号の説明】
１０    移動機
２０、２１、２２    基地局
１    制御部（ＣＰＵ）
２    無線部（ＲＦ）
３    メモリ
３１    周辺ゾーン止まり木チャネルテーブル
３２    切替レベルテーブル
３３  固定用止まり木チャネルテーブル
４    固定キー
【図１】
2004260559.tif 000003
【図２】
2004260559.tif 000004
【図３】
2004260559.tif 000005
【図４】
2004260559.tif 000006
【図５】
2004260559.tif 000007
【図６】
2004260559.tif 000008
【図７】
2004260559.tif 000009
【図８】
2004260559.tif 000010
【図９】
2004260559.tif 000011
【図１０】
2004260559.tif 000012